(57)【特許請求の範囲】
【請求項１】
第１軸芯周りで回転自在な入力軸と前記第１軸芯に対して斜めに交差する第２軸芯周りで回転自在な出力軸とを連動連結するギア式伝動装置を備えたコンバインであって、
走行機体の前部に機体前後向きの筒状フレームにより昇降自在に刈取部が支持され、
植立茎稈を引起す引起し装置が、前記筒状フレームに連結された縦向き伝動ケースに支持される状態で前記刈取部に備えられ、前記筒状フレームの内部に設けられた前後向き伝動軸及び前記縦向き伝動ケース内部に設けられた縦向きの前記入力軸を介して走行機体側からの動力が伝達されるよう構成され、
前記引起し装置の機体後部側に前記ギア式伝動装置が備えられ、このギア式伝動装置が走行機体側から伝達される動力を前記入力軸から前記引起し装置における駆動輪体と一体回動する前記出力軸に伝達するよう構成され、
前記ギア式伝動装置は、前記入力軸と一体回転する入力側のベベルギア、前記第２軸芯と平行な軸芯周りで回転自在な中継伝動軸、前記入力側のベベルギアと噛み合い且つ前記中継伝動軸と一体回転する出力側のベベルギア、前記中継伝動軸と一体回転する第１平ギア、及び、前記第１平ギアと噛み合い且つ前記出力軸と一体回転する第２平ギアの夫々を、伝動ケース内に備えて構成され、
前記伝動ケースが、前記入力側のベベルギア及び前記出力側のベベルギアが収納されるベベルギアケース部と、前記第１平ギア及び前記第２平ギアが収納される平ギアケース部とを別体で備えて構成され、且つ、前記中継伝動軸を前記ベベルギアケース部と前記平ギアケース部とにわたって内装する状態で前記ベベルギアケース部と前記平ギアケース部とを接続して構成され、
前記ベベルギアケース部と前記平ギアケース部とは、前記中継伝動軸の外周部に対応する箇所が嵌り込み接続された状態で連結され、
前記中継伝動軸のうち前記入力側のベベルギアよりも前記引起し装置とは反対側箇所に前記出力側のベベルギアが備えられ、
前記中継伝動軸は、一端部が前記ベベルギアケース部にて回動自在に保持され、他端部が前記平ギアケース部にて回動自在に保持されているコンバイン。
【請求項２】
前記中継伝動軸は、前記一端部における前記出力側のベベルギアよりも軸端部側が前記ベベルギアケース部にて回動自在に保持され、前記他端部における前記第１平ギアよりも軸端部側が前記平ギアケース部にて回動自在に保持されている請求項１記載のコンバイン。
【請求項３】
前記平ギアケース部が、前記引起し装置の機体後部側箇所に連結されている請求項１又は２記載のコンバイン。
【請求項４】
前記平ギアケース部が、前記引起し装置の機体後部側箇所に形成された両側の縦壁の間に嵌り込む状態で連結されている請求項３記載のコンバイン。
【請求項５】
前記ベベルギアケース部及び前記平ギアケース部の夫々が、一対の分割ケース単位体同士を接続する２つ割り構造のケース体にて構成されている請求項１〜４のいずれか１項に記載のコンバイン。
【請求項６】
前記引起し装置が、上部に位置する前記駆動輪体と下部に位置する従動輪体とに亘って巻き掛けられた回動チェーンに一定間隔ごとに複数の引起爪が取り付けられ、この引起爪の係止引き上げ作用によって植立茎稈の引き起しを行うように構成され、
機体横幅方向に並ぶ状態で複数備えられる前記引起し装置のうちの機体横幅方向一端側に位置する端部側の引起し装置の下端部における前記引起爪の横回し移動幅が、他の引起し装置の下端部における前記引起爪の横回し移動幅よりも広く設定され、
前記端部側の引起し装置の機体後部側に前記ギア式伝動装置が備えられている請求項１〜５のいずれか１項に記載のコンバイン。
【請求項７】
前記端部側の引起し装置とそれに隣接する前記他の引起し装置とが、前記引起爪を対向させた状態で植立茎稈の引き起しを行うように構成されている請求項６記載のコンバイン。
【発明の詳細な説明】
【技術分野】
【０００１】
本発明は、第１軸芯周りで回転自在な入力軸と前記第１軸芯に対して斜めに交差する第２軸芯周りで回転自在な出力軸とを連動連結するギア式伝動装置を備えたコンバインに関する。
【背景技術】
【０００２】
上記ギア式伝動装置は、従来では、前記入力軸と前記出力軸とが、それらの各軸に一体回転自在に取り付けられた一対のベベルギアにて連動連結されるように構成されていた。
【０００３】
例えば、ギア式伝動装置をコンバインにおける引起し装置に対する伝動系に備えられる伝動装置として利用したものにおいて、次のように構成されたものがあった。
すなわち、コンバインは走行機体の前部に機体前後向きの筒状フレームとしての刈取主フレームにより昇降自在に刈取部が支持される構成となっており、そして、植立茎稈を引起す引起し装置が刈取主フレームに連結された縦向き伝動ケースに支持される状態で刈取部に備えられ、刈取主フレームの内部に設けられた前後向き伝動軸としての主伝動軸及び縦向き伝動ケース内部に設けられた縦向きの伝動軸を介して走行機体側からの動力が伝達されるよう構成され、縦向きの伝動軸（入力軸に相当）と引起し装置の駆動輪体が備えられた駆動軸（出力軸に相当）とが、それらの各軸に一体回転自在に取り付けられた一対のベベルギアにて連動連結されるように構成されていた（例えば、特許文献１参照。）。
【０００４】
そして、前記引起し装置は、前記出力軸に備えられる駆動輪体と下部に位置する従動輪体とにわたり巻回された回動チェーンに一定間隔をあけて植立茎稈に対して引起し作用する引起爪を備えて、ギア式伝動装置を介して入力される動力にて回動チェーンを回動させることにより、複数の引起爪により植立茎稈を引き起すように構成されている。
【先行技術文献】
【特許文献】
【０００５】
【特許文献１】特開２００２−１０１７３２号公報
【発明の概要】
【発明が解決しようとする課題】
【０００６】
上記従来構成では、ギア式伝動装置が、前記入力軸と前記出力軸とをそれらの各軸に一体回転自在に取り付けた一対のベベルギアにて連動連結させる構成であるから、部品点数が少なく伝動構造が簡単なものとなる利点があるものの次のような不利な面があった。
【０００７】
すなわち、ギア式伝動装置が特許文献１に記載されるようにコンバインに使用される場合であれば、複数の引起し装置のうちのいずれかの引起し装置について、他の引起し装置に比べて駆動輪体の位置が上下に変化することがあり、そのことに起因して、当該引起し装置は他の引起し装置に比べて出力軸が回転軸芯と直交する方向に平行移動した位置に変更される場合がある。
【０００８】
例えば、複数の引起し装置のうちのいずれかの引起し装置について、１つの引起し装置により植立茎稈の２条分の引起しを行うことが可能となるように、引起爪が回動しながら植立茎稈に対して引起し作用する引起し経路のうちで下端側の水平方向の引起し経路を長くする場合がある。その場合、引起爪の回動ピッチが他の引起し装置と同じになるように駆動輪体の位置を他の引起し装置に対して上下方向に変化させて回動チェーンの巻回長さを調整することがある。
【０００９】
そして、引起し装置の駆動輪体の位置が上下に変化することに起因して、駆動輪体を駆動する出力軸が軸芯と直交する方向に平行移動するように位置が変化することになるから、入力軸と出力軸との相対的な位置関係が変化することに対応させて引起し装置に対する伝動構造に改良を加える必要があるが、その場合、上記従来構成のギア式伝動装置を用いると、出力軸が回転軸芯と直交する方向に平行移動することに対して、入力軸の位置が変化しなければ、入力軸及び出力軸夫々に取り付けられたベベルギア同士が適切に噛み合わない状態となるから、出力軸の位置の変化に応じて出力軸に対する入力軸の傾斜姿勢を変化せざるを得ないものとなる。
【００１０】
その結果、上記従来構成のギア式伝動装置を用いる場合であれば、出力軸の位置の変化に応じて入力軸の傾斜姿勢、具体的には、引起し装置を支持するフレームに対して支持される入力軸のフレームに対する相対傾斜角を変化させるために、刈取部全体を支持するための機体前後向きの刈取主フレームに連結される縦向き伝動ケース、あるいは、刈取主フレームと縦向き伝動ケースを中継するための中継用のフレーム等の大型の部材である支持用の枠体の構造改良を行わなければならず、大掛かりな改良が必要となってコスト高になる不利がある。
【００１１】
【００１２】
本発明の目的は、上記ギア式伝動装置を用いて動力伝達を行うコンバインにおいて、ギア式伝動装置における出力軸が軸芯と直交する方向に平行移動する等、入力軸と出力軸との相対位置が変化する使用形態で使用される場合であっても、良好な伝動状態を得ることができるものでありながら、入力軸と出力軸との間の傾斜角度を変化させるための大掛かりな構造改良を必要としないコンバインを提供する点にある。
【課題を解決するための手段】
【００１３】
本発明に係るコンバインは、第１軸芯周りで回転自在な入力軸と前記第１軸芯に対して斜めに交差する第２軸芯周りで回転自在な出力軸とを連動連結するギア式伝動装置を備えたものであって、
走行機体の前部に機体前後向きの筒状フレームにより昇降自在に刈取部が支持され、
植立茎稈を引起す引起し装置が、前記筒状フレームに連結された縦向き伝動ケースに支持される状態で前記刈取部に備えられ、前記筒状フレームの内部に設けられた前後向き伝動軸及び前記縦向き伝動ケース内部に設けられた縦向きの前記入力軸を介して走行機体側からの動力が伝達されるよう構成され、
前記引起し装置の機体後部側に前記ギア式伝動装置が備えられ、このギア式伝動装置が走行機体側から伝達される動力を前記入力軸から前記引起し装置における駆動輪体と一体回動する前記出力軸に伝達するよう構成され、
前記ギア式伝動装置は、前記入力軸と一体回転する入力側のベベルギア、前記第２軸芯と平行な軸芯周りで回転自在な中継伝動軸、前記入力側のベベルギアと噛み合い且つ前記中継伝動軸と一体回転する出力側のベベルギア、前記中継伝動軸と一体回転する第１平ギア、及び、前記第１平ギアと噛み合い且つ前記出力軸と一体回転する第２平ギアの夫々を、伝動ケース内に備えて構成され、
前記伝動ケースが、前記入力側のベベルギア及び前記出力側のベベルギアが収納されるベベルギアケース部と、前記第１平ギア及び前記第２平ギアが収納される平ギアケース部とを別体で備えて構成され、且つ、前記中継伝動軸を前記ベベルギアケース部と前記平ギアケース部とにわたって内装する状態で前記ベベルギアケース部と前記平ギアケース部とを接続して構成され、
前記ベベルギアケース部と前記平ギアケース部とは、前記中継伝動軸の外周部に対応する箇所が嵌り込み接続された状態で連結され、
前記中継伝動軸のうち前記入力側のベベルギアよりも前記引起し装置とは反対側箇所に前記出力側のベベルギアが備えられ、
前記中継伝動軸は、一端部が前記ベベルギアケース部にて回動自在に保持され、他端部が前記平ギアケース部にて回動自在に保持されている点にある。
【００１４】
第１特徴構成によれば、入力軸と一体回転する入力側のベベルギアと中継伝動軸と一体回転する出力側のベベルギアとが噛み合い、入力軸の動力が中継伝動軸に伝えられ、その中継伝動軸と一体回転する第１平ギアと出力軸と一体回転する第２平ギアとが噛み合い、中継伝動軸の動力が出力軸に伝えられる。中継伝動軸は、出力軸の回転軸芯である第２軸芯と平行な軸芯周りで回転自在であり、各ベベルギア、各平ギア、及び、中継伝動軸は伝動ケース内に備えられている。よって、伝動ケースの外部から第１軸芯周りで回転する入力軸に伝達される動力が、第１軸芯に対して斜めに交差する第２軸芯周りで回転自在な出力軸に伝えられ、伝動ケースの外部に出力されることになる。
【００１５】
そして、上記構成のギア式伝動装置では、第１平ギア及び第２平ギア夫々のギア径を変更させることにより、それらの第１平ギア及び第２平ギアにて連動連結される中継伝動軸と出力軸との間の軸間距離を任意の距離に変更させることができる。このように出力軸に対する中継伝動軸の設置位置を任意の位置に設定することが可能であるから、入力軸と出力軸との間の傾斜角度を変化させなくても、出力軸を第２軸芯と直交する方向に平行移動するように位置を変更させることが可能となる。
【００１６】
その結果、ギア式伝動装置の伝動ケースは新たなものを作成する必要はあるものの、入力軸と出力軸との間の傾斜角度を変化させる必要がない。よって、入力軸と出力軸との間の傾斜角度を変化することに起因して大型の部材である支持用の枠体の構造改良を行う等の大掛かりな構造改良は必要でない。
【００１７】
従って、第１特徴構成によれば、出力軸が第２軸芯と直交する方向に平行移動する等、入力軸と出力軸との相対位置が変化するような使用形態で使用される場合であっても、良好な伝動状態を得ることができるものでありながら、入力軸と出力軸との間の傾斜角度を変化させるための大掛かりな構造改良を必要としないコンバインを提供できるに至った。
【００１８】
【００１９】
又、第１特徴構成によれば、ベベルギアケース部の内部では、入力側のベベルギアと出力側のベベルギアとが噛み合い、入力軸の動力が中継伝動軸に伝えられる。又、中継伝動軸により平ギアケース部に動力が伝えられ、平ギアケース部の内部では、第１平ギアと第２平ギアとが噛み合い、中継伝動軸の動力が出力軸に伝えられる。
【００２０】
ベベルギアケース部と平ギアケース部とが別体で構成され、それらベベルギアケース部と平ギアケース部とにわたって内装する状態で中継伝動軸が設けられるので、入力軸と出力軸とが第２軸芯に沿う方向に接近するように位置が変化する状態で使用される場合であっても、少なくとも一方のケース部はそのまま使用することができる。また、入力軸と出力軸とが第２軸芯に沿う方向に離間する場合には、例えば、中継伝動軸の長さを変化させ、且つ、ベベルギアケース部と平ギアケース部との間に中継用のケース部を設けることにより、各ケース部を共用することが可能であり簡単な構造改良で対応できるものとなる。
【００２１】
従って、第１特徴構成によれば、入力軸と出力軸とが第２軸芯に沿う方向に接近あるいは離間するように位置が変化する使用形態で使用される場合であっても、伝動ケースを共用化することで簡単な構造改良で対応できるコンバインを提供できるに至った。
又、第１特徴構成によれば、走行機体の前部に機体前後向きの筒状フレームにより昇降自在に刈取部が支持され、植立茎稈を引起す引起し装置が、筒状フレームに連結された縦向き伝動ケースに支持される状態で刈取部に備えられる。そして、引起し装置の機体後部側に備えられたギア式伝動装置により、走行機体側からの動力が、筒状フレームの内部に設けられた前後向き伝動軸及び縦向き伝動ケース内部に設けられた縦向きの入力軸を介して、引起し装置における駆動輪体と一体回動する出力軸に伝達されることになる。
そして、このような構成のコンバインでは、引起し装置において駆動輪体の位置が上下に変化するような形態で使用される場合に、出力軸が第２軸芯と直交する方向に平行移動した位置に変更される場合があるが、ギア式伝動装置は、上述したように、第１平ギア及び第２平ギア夫々のギア径を変更させることにより、それらの両ギアにて連動連結される中継伝動軸と出力軸との間の軸間距離を任意の距離に変更させることができ、出力軸に対する中継伝動軸の設置位置を任意の位置に設定することができ、入力軸と出力軸との間の傾斜角度を変化させなくても、出力軸を第２軸芯と直交する方向に平行移動するように位置を変更させることが可能となるのであるから、入力軸と出力軸との間の傾斜角度を変化させるために、大型の部材である支持用の枠体の構造改良を行う等の大掛かりな構造改良は必要でない。
従って、第１特徴構成によれば、上記ギア式伝動装置を用いて動力伝達を行うコンバインにおいて、ギア式伝動装置における出力軸が第２軸芯と直交する方向に平行移動する等、入力軸と出力軸との相対位置が変化する使用形態で使用される場合であっても、良好な伝動状態を得ることができるものでありながら、入力軸と出力軸との間の傾斜角度を変化させるための大掛かりな構造改良を必要としないコンバインを提供できるに至った。
本発明の第２特徴構成は、第１特徴構成に加えて、前記中継伝動軸は、前記一端部における前記出力側のベベルギアよりも軸端部側が前記ベベルギアケース部にて回動自在に保持され、前記他端部における前記第１平ギアよりも軸端部側が前記平ギアケース部にて回動自在に保持されている点にある。
本発明の第３特徴構成は、第１特徴構成又は第２特徴構成に加えて、前記平ギアケース部が、前記引起し装置の機体後部側箇所に連結されている点にある。
本発明の第４特徴構成は、第３特徴構成に加えて、前記平ギアケース部が、前記引起し装置の機体後部側箇所に形成された両側の縦壁の間に嵌り込む状態で連結されている点にある。
【００２２】
本発明の第５特徴構成は、第１特徴構成〜第４特徴構成のいずれかに加えて、前記ベベルギアケース部及び前記平ギアケース部の夫々が、一対の分割ケース単位体同士を接続する２つ割り構造のケース体にて構成されている点にある。
【００２３】
第５特徴構成によれば、ベベルギアケース部及び平ギアケース部の夫々が２つ割り構造のケース体にて構成されているから、各ギアや中継伝動軸を組み付ける場合には、一対の分割ケース単位体を分離している状態でそれらの各部材を装着して、一対の分割ケース単位体同士を接続することで対応できるから、各部材の組み付け作業が行い易いものとなり、しかも、メンテナンス作業を行う場合においても、一対の分割ケース単位体同士の接続を解除することにより、前記各ケース部を各別に開放することができ、メンテナンス作業が行い易いものとなる。
【００２４】
【００２５】
【００２６】
【００２７】
【００２８】
本発明の第６特徴構成は、第１特徴構成〜第５特徴構成のいずれかに加えて、前記引起し装置が、上部に位置する前記駆動輪体と下部に位置する従動輪体とに亘って巻き掛けられた回動チェーンに一定間隔ごとに複数の引起爪が取り付けられ、この引起爪の係止引き上げ作用によって植立茎稈の引き起しを行うように構成され、機体横幅方向に並ぶ状態で複数備えられる前記引起し装置のうちの機体横幅方向一端側に位置する端部側の引起し装置の下端部における前記引起爪の横回し移動幅が、他の引起し装置の下端部における前記引起爪の横回し移動幅よりも広く設定され、前記端部側の引起し装置の機体後部側に前記ギア式伝動装置が備えられている点にある。
【００２９】
第６特徴構成によれば、引起し装置は、上部に位置して出力軸から動力が伝えられる駆動輪体と下部に位置する従動輪体とにわたり巻回された回動チェーンを回動させることにより、回動チェーンに一定間隔ごとに取り付けられた複数の引起爪の係止引き上げ作用によって植立茎稈の引き起しを行うものであるが、機体横幅方向に並ぶ状態で複数備えられる引起し装置のうちの機体横幅方向一端側に位置する端部側の引起し装置の下端部における引起爪の横回し移動幅が、他の引起し装置の下端部における引起爪の横回し移動幅よりも広く設定されているから、この端部側の引起し装置により植立茎稈の２条分の引起しを行うことが可能となる。
【００３０】
そして、端部側の引起し装置は、引起爪が回動しながら植立茎稈に対して引起し作用する引起し経路のうちで下端側の水平方向の引起し経路が長くなるから、引起爪の回動ピッチが他の引起し装置と同じになるように調整するために、駆動輪体の位置を他の引起し装置に対して上下方向に変化させて回動チェーンの巻回長さを変更することになるが、この端部側の引起し装置の機体後部側にギア式伝動装置が備えられ、このギア式伝動装置は、上述したように、入力軸と出力軸との間の傾斜角度を変化させなくても、出力軸を第２軸芯と直交する方向に平行移動するように位置を変更させることが可能となる。
【００３１】
つまり、入力軸と出力軸との間の傾斜角度を変化させる必要はなく、大型の部材である支持用の枠体の構造改良を行うことなく、出力軸を第２軸芯と直交する方向に平行移動するように位置を変更させることによって駆動輪体の位置を他の引起し装置に対して上下方向に変化させることが可能となる。
【００３２】
従って、第６特徴構成によれば、大型の部材である支持用の枠体の構造改良を行う等の大掛かりな構造改良を必要としない状態で、且つ、引起爪の回動ピッチが他の引起し装置と同じになる状態で植立茎稈の引起し作動を良好に行えるものでありながら、端部側の引起し装置により植立茎稈の２条分の引起しを行うことが可能となるコンバインを提供できるに至った。
【００３３】
本発明の第７特徴構成は、第６特徴構成に加えて、前記端部側の引起し装置とそれに隣接する前記他の引起し装置とが、前記引起爪を対向させた状態で植立茎稈の引き起しを行うように構成されている点にある。
【００３４】
第７特徴構成によれば、端部側の引起し装置とそれに隣接する他の引起し装置とが、引起爪を対向させた状態で植立茎稈の引き起しを行うものであるが、端部側の引起し装置は上記したように、引起爪の回動ピッチが他の引起し装置と同じになる状態で植立茎稈の引起し作動を良好に行えるものであるから、引起爪を対向させた状態で植立茎稈の引き起しを行う他の引起し装置との間で、引起爪の回動ピッチが同じになり、対向する引起爪同士が位置ずれしない状態で係止引き上げ作用を実行することになる。
【００３５】
従って、第７特徴構成によれば、端部側の引起し装置により植立茎稈の２条分の引起しを行うことができ、しかも、隣接する引起し装置の対向する引起爪同士が位置ずれしない状態で、良好に植立茎稈の引起しを行うことが可能となるコンバインを提供できるに至った。
【図面の簡単な説明】
【００３６】
【図１】コンバインの全体側面図である。
【図２】コンバインの正面図である。
【図３】刈取部の横断平面図である。
【図４】引起し装置への分岐伝動状態を示す断面図である。
【図５】中央引起し装置と右側引起し装置の縦断正面図である。
【図６】右側引起し装置の上部及びギア式伝動装置の縦断側面図である。
【図７】右側引起し装置の下部の正面図である。
【図８】右側引起し装置の下部の切欠側面図である。
【図９】付勢機構を示す正面図である。
【図１０】付勢機構を示す側面図である。
【図１１】付勢機構の分解斜視図である。
【図１２】中央引起し装置の側面図である。
【図１３】中央引起し装置の上部及び上部側連結手段の縦断側面図である。
【図１４】上部側連結手段を分離した状態を示す縦断側面図である。
【図１５】中央引起し装置の下部及び下部側連結手段の縦断側面図である。
【図１６】下部側連結手段を分離した状態を示す縦断側面図である。
【図１７】別実施形態の刈取部の正面図である。
【図１８】別実施形態の刈取部の正面図である。
【発明を実施するための形態】
【００３７】
以下、本発明の実施の形態を図面に基づいて説明する。
図１にコンバインの全体側面が示され、図２にコンバインの正面が示されている。このコンバインは、稲、麦などの収穫作業を行なうものであり、左右一対のクローラ走行装置１を備えた走行機体の前部に、横軸芯Ｐ周りで昇降自在に支持される状態で刈取部２が備えられ、走行機体における機体フレーム５の上部に走行機体横方向に並べる状態で脱穀装置３と穀粒タンク４とが備えられている。走行機体は、前端側の右端部に運転座席６が装備された搭乗運転部７が備えられ、この搭乗運転部７の下方に図示しないエンジンが装備された原動部を備え、エンジンが出力する駆動力によって左右一対のクローラ走行装置１を駆動して自走するように構成されている。
【００３８】
刈取部２は、機体フレーム５から走行機体前方並びに斜め下方に向けて延出し且つ機体フレーム５に軸芯Ｐまわりに上下揺動自在に支持した筒状フレームとしての刈取メインフレーム８により昇降自在に支持され、この刈取メインフレーム８が昇降用油圧シリンダ９によって機体フレーム５に対して上下に揺動操作されることにより、刈取部２が、圃場面近くに下降した下降作業状態と、圃場面から高く上昇した非作業状態とに昇降自在に構成されている。
【００３９】
刈取部２を下降作業状態にして走行機体を走行させると、刈取部２は、植立茎稈を引起すとともに刈り取り、刈り取り穀稈を脱穀装置３の脱穀フィードチェーン１０の始端部に供給する。脱穀装置３は、脱穀フィードチェーン１０によって刈取穀稈の株元側を挟持して走行機体後方向きに搬送し、これによって刈取穀稈の穂先側を扱室（図示せず）に供給して脱穀処理する。穀粒タンク４は、脱穀装置３から搬送された脱穀粒を回収して貯留する。
【００４０】
図３に示すように、刈取メインフレーム８の延出端側に連結され且つ機体横幅方向に延びる横フレーム１１、この横フレーム１１の左右両側部及び機体横幅方向中央部に夫々連結されて縦向きに延びる三本の縦フレーム１２，１３，１４、及び、横フレーム１１に走行機体横方向に所定間隔を隔てて並ぶ配置で連結された四本の走行機体前後向きの分草具支持フレーム１５〜１８が設けられ、これらの各フレーム１１〜１８を介して刈取部２が昇降自在に刈取メインフレーム８に支持される構成となっている。
横フレーム１１及び三本の縦フレーム１２，１３，１４は夫々筒状に形成され、その内部に後述するように伝動軸を内装する伝動ケースとして機能するように構成されている。
【００４１】
図２に示すように、刈取部２は、四つの分草具１９〜２２、その分草具１９〜２２の走行機体後方側に走行機体横方向に並べて設けた三つの引起し装置２３〜２５、分草具支持フレーム１５〜１８の基端側に設けた一つのバリカン形の刈取装置２６、刈り取った穀稈を刈幅中央側に寄せ集めるとともに、縦姿勢の穀稈を徐々に横倒れ姿勢に姿勢変更しながら、脱穀フィードチェーン１０の始端部に向けて搬送する穀稈搬送装置２７を備えて構成されている。
【００４２】
四つの分草具１９〜２２は、四本の分草具支持フレーム１５〜１８のうちの対応する分草具支持フレームの前端部に固定され、図２に示すように、四つの分草具１９〜２２の配置は、四つの分草具１９〜２２のうち搭乗運転部７が位置する側の横端に位置する分草具１９とそれに隣り合って位置する分草具２０の先端どうしの間隔を他の分草具同士の間隔より大に設定した配置になっている。
【００４３】
つまり、このコンバインでは、回り刈り作業を行う場合には、４個の分草具１９〜２２の前方に３条分の植立茎稈が位置するように刈取部２を植立茎稈に位置合わせしながら走行機体を走行させる三条刈り作業形態にて刈取作業を行い、又、中割り刈り作業を行う場合には、搭乗運転部７側の分草具１９とそれと隣接する分草具２０の間に二条の植立茎稈を導入することにより４条分の植立茎稈が位置するように刈取部２を植立茎稈に位置合わせしながら走行機体を走行させる四条刈り作業形態にて刈取作業を行えるようになっている。
【００４４】
引起し装置２３〜２５に対する伝動構造について説明する。
図４に示すように、筒状の刈取メインフレーム８の内部に沿って走行機体前方並びに斜め下方に向けて延出する主伝動軸２８が設けられ、主伝動軸２８の前端部には左右向きの横向き伝動軸２９がベベルギヤ機構３０を介して連動連結され、横向き伝動軸２９の左右両端部と左右中央部の夫々において、横向き伝動軸２９と三つの引起し装置２３〜２５夫々に対応して設けられた三本の縦向き伝動軸３１〜３３とが夫々ベベルギヤ機構３４ａ及び中継軸３４ｂを介して連動連結されている。そして、前記主伝動軸２８に対しては、走行機体に備えられた図示しないエンジンの動力が伝達されるように構成されている。又、中継軸３４ｂと穀稈搬送装置２７のうちの掻き込み搬送装置２７Ａとが連動連結されて、掻き込み搬送装置２７Ａにエンジンからの動力が伝えられるようになっている。
図４に示すように、横向き伝動軸２９は横フレーム１１の内部に設けられ、三本の縦向き伝動軸３１〜３３は三つの縦フレーム１２〜１４夫々の内部に設けられる。
【００４５】
従って、主伝動軸２８、横向き伝動軸２９、及び、三本の縦向き伝動軸３１〜３３を介して三つの引起し装置２３〜２５の夫々に対して動力が伝達されるように構成されている。
【００４６】
次に、引起し装置２３〜２５について説明する。
図２及び図５に示すように、三つの引起し装置２３〜２５は、夫々、上部に配備された駆動スプロケット３５、下部に配備された従動スプロケット３６と、それらに亘って巻き掛けられた回動チェーン３７と、回動チェーン３７に引き起こし姿勢と格納姿勢とに姿勢変更可能な状態で一定間隔ごとに取り付けられた複数の引起爪３８、戻り経路側の上部に配備されたテンションスプロケット３９、そのテンションスプロケット３９を緊張作用すべく移動付勢する付勢機構４０等を備えて構成されている。
【００４７】
三つの引起し装置２３〜２５のうち、機体横幅方向中央に位置する中央引起し装置２４、及び、機体進行方向に向かって左側に位置する左側引起し装置２５は、下部に配備された従動スプロケット３６は１個であるが、機体進行方向に向かって右側に位置する右側引起し装置２３には、従動スプロケット３６の横側に補助従動スプロケット３６ａが備えられ、回動チェーン３７は補助従動スプロケット３６ａにも巻回される構成となっている。
【００４８】
次に、右側引起し装置２３について説明する。
図５、図６及び図８に示すように、右側引起し装置２３は、板金材からなる前部側ケース部４１Ａと後部側ケース部４１Ｂとを重ねた２つ割り構造である引起しケース４１の内部に、駆動スプロケット３５、従動スプロケット３６、補助従動スプロケット３６ａ、回動チェーン３７、引起爪３８、付勢機構４０等を備えている。
引起しケース４１は、前部側ケース部４１Ａと後部側ケース部４１Ｂとを回動チェーン３７の回動軌跡の内側に位置する箇所を当て付けてボルト連結して構成されており、前部側ケース部４１Ａと後部側ケース部４１Ｂとの間に形成された通過用隙間を通して引起爪３８が通過することができるよう構成されている。
【００４９】
図５に示すように、従動スプロケット３６と駆動スプロケット３５との間の縦向き移動経路には、縦向き起立ガイドレール５１が備えられており、引起爪３８は起立状態を維持するように構成されている。縦向き移動経路に備えられる縦向き起立ガイドレール５１は、下部に位置する下部側ガイドレール５１Ａと上部側の上部側ガイドレール５１Ｂとに分割されており、特に磨耗が激しい下部側ガイドレール５１Ａは部品交換が可能なように着脱自在にボルトにて取り付ける構成となっている。
【００５０】
図５に示すように、右側引起し装置２３は、従動スプロケット３６と補助従動スプロケット３６ａとの間に横向き起立ガイドレール４４が備えられており、その横向き起立ガイドレール４４にて支持される間は引起爪３８が起立状態を維持するように構成されている。
このように構成することで、搭乗運転部７側の分草具１９とそれと隣接する分草具２０の間に二条の植立茎稈を導入する場合であっても、それら二条分の植立茎稈に対して確実に引起し作用を発揮して引起し残しが少なくなる。
【００５１】
そして、図７及び図８に示すように、引起しケース４１の後部側ケース部４１Ｂにおいては、従動スプロケット３６及び補助従動スプロケット３６ａの夫々の回転用支軸４５、４６を支持するための支持ブラケット４７の一部を延長形成し且つＬ字形に折り曲げて引起しケース４１の内部に入り込ませることにより、横向き起立ガイドレール４４を形成している。又、引起しケース４１の前部側ケース部４１Ａにおいては、Ｌ字形に折り曲げた板体を引起しケースの内部に入り込ませた状態で溶接固定することにより横向き起立ガイドレール４４を形成している。
【００５２】
前後両側の横向き起立ガイドレール４４の上部側には、板体をＬ字形に折り曲げた補強板４８を重ね合わせた状態で一体的に溶接にて取り付けてあり、さらに、引起しケース４１の外周部に形成された爪ガイド部４９の下方外方側にも同様に、板体をＬ字形に折り曲げた補強板５０を重ね合わせた状態で一体的に溶接にて取り付けてある。
このように、引起爪３８が摺動しながら起立案内される箇所において二重板構造として耐久性を向上させてあり、長期にわたり使用を継続することができる。
【００５３】
中央引起し装置２４及び左側引起し装置２５は、補助従動スプロケット３６ａが備えられておらず、下部側では１個の従動スプロケット３６により回動チェーン３７が巻回される点で右側引起し装置２３とは構成が異なるが、それ以外の構成は、右側引起し装置２３と同じであるから、同じ構成については説明は省略する。
【００５４】
三つの引起し装置２３〜２５の夫々に備えられる付勢機構４０は夫々同じ構成のものであるが、以下、この付勢機構４０について説明する。
図９〜図１１に示すように、板状の鋼材を略コの字形に折り曲げ加工して形成したガイド部材５２が引起しケース４１の内部に位置して固定する状態で取り付けられ、このガイド部材５２に支持部材５３が上下方向にスライド自在に支持されており、支持部材５３の上部の支持軸５８にテンションスプロケット３９が回転自在に支持されている。この支持部材５３は、下部側が上部側よりも幅狭となる帯板状に形成してあり、ガイド部材５２の上側案内部５２ａと下側案内部５２ｂの夫々に形成された挿通孔５４ａ，５４ｂを挿通させ、且つ、下部側にコイルバネ５５が外嵌装着される状態でガイド部材５２に支持され、コイルバネ５５が下部側と上部側との間の段差部５６とガイド部材５２の下側案内部５２ｂとの間で押圧作用して支持部材５３を上方に移動付勢するように構成されている。
【００５５】
又、支持部材５３には、ラチェット爪５７が形成されており、このラチェット爪５７が下側案内部５２ｂの挿通孔５４ｂの端縁に係止することにより、回動チェーン３７に緊張力を付与する方向へのコイルバネ５５による支持部材５３の移動を許容し、回動チェーン３７の緊張力を緩める方向への支持部材５３の移動を阻止するラチェット機構が構成されており、しかも、図９に示すように、テンションスプロケット３９は回動チェーン３７から横向きの分力を有する押圧力Ｔを受けるので、支持部材５３はガイド部材５２の上側案内部５２ａの挿通孔５４ａの端縁を支点にしてラチェット爪５７が下側案内部５２ｂの挿通孔５４ｂの端縁に係止する方向に付勢されるので、ラチェット爪５７と挿通孔５４ｂの端縁との係止状態が外れることはない。
【００５６】
図１０に示すように、支持部材５３はテンションスプロケット３９に対してその回転軸芯方向に近づけた状態で設けられるから、支持部材５３に曲げモーメントが掛かり、テンションスプロケット３９が回動チェーン３７から外れる方向に力が作用することがなく、良好な回転状態を維持しながら、緊張力を付与することができるようになっている。
又、上記したような付勢機構４０を備えて、走行時の機体の振動などにより回動チェーン３７がバタつくことがあっても回動チェーン３７とテンションスプロケット３９との噛合いが外れることが無いようにしてある。
【００５７】
次に、中央引起し装置２４の伝動構造並びに取り付け構造について説明する。
中央引起し装置２４は、三つの縦フレーム１２〜１４のうちの中央に位置する中央縦フレーム１３（縦向き伝動ケースの一例）及び右から３番目の分草具支持フレーム１７の夫々に取り外し可能に支持される構成となっている。
【００５８】
つまり、中央引起し装置２４の上部に備えられた中央引起し伝動ケース６０に、中央縦フレーム１３から突出する縦向き伝動軸３２に一体回転自在に且つ抜き差し自在に嵌合される伝動部材としてのベベルギア６７が備えられ、中央引起し伝動ケース６０と中央縦フレーム１３とが、縦向き伝動軸３２の軸芯方向に沿った中央縦フレーム１３に対するベベルギア６７の斜め前方上方及び斜め後方下方への抜き差しに伴って着脱自在で、且つ、ベベルギア６７が縦向き伝動軸３２に一体回転自在に嵌合された装着状態で上部側連結手段Ｒ１にて取り外し可能に連結され、中央引起し装置２４の下部が分草具支持フレーム１７に対して下部側連結手段Ｒ２にて取り外し可能に連結されている。
【００５９】
又、中央縦フレーム１３に縦向き伝動軸３２の両側に縦壁６２を有する断面コの字形の連結用ブラケット６３が設けられ、且つ、引起し伝動ケース６０に連結用ブラケット６３の両側の縦壁６２の間に嵌り込む被連結部６４が設けられ、上部側連結手段Ｒ１が、縦向き伝動軸３２の前後両側夫々において連結用ブラケット６３の縦壁６２及び被連結部６４にわたって挿通する２本のボルト６５により、中央縦フレーム１３と引起し伝動ケース６０とを取り外し可能に連結されるように構成されている。
【００６０】
被連結部６４には、２本のボルト６５を横から挿通する左右向きの穴部が形成されている。また、被連結部６４の下端部には、被連結部６４の上面に接当支持させる筒状の接当支持部６４ａが形成されている。
【００６１】
以下、中央引起し装置２４の取付構造についてさらに説明を加える。
図１２及び図１３に示すように、中央引起し装置２４の上部側の機体後部側箇所に、駆動スプロケット３５が一体的に備えられた出力軸６６を回動自在に支持するとともに、出力軸６６と縦向き伝動軸３２とを連動連結する一対のベベルギア６７、６８を内装した引起し伝動ケース６０が設けられている。この引起し伝動ケース６０は、出力軸６６側の被連結部６９が、引起しケース４１に固定された断面コの字形のブラケット７０に嵌め込まれて、その引起しケース側のブラケット７０の両側の縦壁７１にわたり挿通する上下一対のボルト７２にて締め付け固定される状態で、引起し伝動ケース６０と引起しケース４１とが連結されている。
【００６２】
又、中央縦フレーム１３の上端部に縦向き伝動軸３２の両側に縦壁６２を有する断面コの字形の連結用ブラケット６３が一体的に溶接固定する状態で設けられ、引起し伝動ケース６０の伝動入力側の端部に形成された入力側の被連結部６４が、連結用ブラケット６３の両側の縦壁６２の間に嵌り込まれて、連結用ブラケット６３の両側の縦壁６２にわたり挿通する前後一対のボルト６５により締め付け固定される状態で、引起し伝動ケース６０と中央縦フレーム１３とが連結されている。
【００６３】
入力側の被連結部６４が連結用ブラケット６３の両側の縦壁６２の間に嵌め込まれた状態で、一対のボルト６５が縦向き伝動軸３２の前後両側の夫々において連結用ブラケット６３の両側の縦壁６２にわたり挿通する状態で設けられて締め付け固定する構成となっているから、中央引起し伝動ケース６０と中央縦フレーム１３との嵌り合い構造と、合理的に配置した２本のボルト６５による締付け構造とにより、位置ずれを起したり隙間が発生することがないように適切な連結状態で、中央引起し伝動ケース６０と中央縦フレーム１３とを連結することができる。
【００６４】
中央引起し伝動ケース６０の内部に備えられる一対のベベルギア６７、６８のうち入力側のベベルギア６７は、本発明の伝動部材に相当するものであり、断面が六角形となるように形成された縦向き伝動軸３２に外嵌されるように六角形状の嵌合孔６７ａが形成されており、この入力側のベベルギア６７と縦向き伝動軸３２とは一体回転自在に且つ抜き差し自在に嵌合される構成となっている。
又、縦向き伝動軸３２の軸端部３２ａは、先端側ほど先細のテーパ状に形成されており、入力側のベベルギア６７を嵌合させるときに、縦向き伝動軸３２の先端部に引っかかることがなく円滑に嵌合させることができるように構成されている。
【００６５】
そして一対のボルト６５による締結を解除して、入力側の被連結部６４を連結用ブラケット６３から抜き外すことで、中央引起し伝動ケース６０と中央縦フレーム１３との連結を解除することができる。
【００６６】
このようにして、縦向き伝動軸３２の前後両側夫々において連結用ブラケット６３の縦壁６２及び被連結部６４にわたって挿通する２本のボルト６５により、中央縦フレーム１３と中央引起し伝動ケース６０とを取り外し可能に連結する上部側連結手段Ｒ１が構成されている。
【００６７】
図１５に示すように、中央引起し装置２４の下部には、従動スプロケット３６の回転用支軸４５を支持するための支持ブラケット４７が固定状態で取り付けられているが、この支持ブラケット４７に、機体後方側に向けて突出する左右一対のネジ軸７３が固定状態で設けられている。
【００６８】
図３、図１２及び図１５に示すように、分草具支持フレーム１７に固定され且つ機体横幅方向に延設された引起し装置支持フレーム７４に、ネジ軸７３が挿通するための挿通孔７５が形成されており、この挿通孔７５にネジ軸７３を挿通させるように、中央引起し装置２４の下部を引起し装置支持フレーム７４に装着して機体後方側からナット７６で締め付けることにより、中央引起し装置２４の下部を固定するよう構成されている。
【００６９】
そして、図１６に示すように、前記ナット７６を緩めてネジ軸７３を引起し装置支持フレーム７４の挿通孔７５から抜き外すことで中央引起し装置２４の下部を取り外すことができ、中央引起し装置２４は分草具支持フレーム１７に対して取り外し可能に連結される構成となっている。
尚、引起し装置支持フレーム７４は分草具支持フレーム１７と同様に丸パイプ材にて形成されているが、挿通孔７５が形成される連結部７７は丸パイプ材を扁平状に押し潰した略板状に形成されている。
【００７０】
従って、支持ブラケット４７に設けられたネジ軸７３、引起し装置支持フレーム７４及び締め付け用のナット７６により、下部側連結手段Ｒ２が構成されている。
【００７１】
先端に注油ノズル７８を備えた給油管７９が分草具支持フレーム１７に支持される状態で設けられ、中央引起し装置２４の下部が分草具支持フレーム１７に対して取り付けられた状態で、注油ノズル７８が、中央引起し装置２４における回動チェーン３７に注油可能な状態で分草具支持フレーム１７に支持される状態で設けられている。
【００７２】
つまり、図１２、図１５及び図１６に示すように、中央引起し装置２４の機体後方側箇所において、引起し装置支持フレーム７４から上方に固定延設した給油管支持アーム８０により給油管７９を支持してあり、その給油管７９の先端に注油ノズル７８を設けてある。この注油ノズル７８は、中央引起し装置２４が中央縦フレーム１３及び分草具支持フレーム１７に支持される状態で装着された状態において、回動チェーン３７や引起爪３８に干渉しないように、引起しケース４１の内部に入り込み、回動チェーン３７に注油可能な箇所に位置するように設けられている。
【００７３】
このような構成であれば、中央引起し装置２４を取り外したときに、注油ノズル７８は分草具支持フレーム１７に支持される状態でそのまま機体側に残ることになり、中央引起し装置２４を取り外すときに注油ノズル７８や給油管７９を合せて取り外す煩わしさがなく、中央引起し装置２４の着脱作業が行い易いものになる。
【００７４】
次に、右側引起し装置２３の伝動構造について説明する。
右側引起し装置２３の機体後部側にギア式伝動装置Ｇを備えており、ギア式伝動装置Ｇが走行機体側から伝達される動力を右側縦向き伝動軸３１から右側引起し装置２３における駆動輪体としての駆動スプロケット３５と一体回動する出力軸８１に伝達するよう構成されている。
【００７５】
前記ギア式伝動装置Ｇは、第１軸芯Ｘ１周りで回転自在な入力軸としての右側縦向き伝動軸３１と第１軸芯Ｘ１に対して斜めに交差する第２軸芯Ｘ２周りで回転自在な出力軸８１とを連動連結するように構成されている。
【００７６】
すなわち、図６に示すように、右側縦向き伝動軸３１と一体回転する入力側のベベルギア８２、前記第２軸芯Ｘ２と平行な軸芯周りで回転自在な中継伝動軸８３、入力側のベベルギア８２と噛み合い且つ中継伝動軸８３と一体回転する出力側のベベルギア８４、中継伝動軸８３と一体回転する第１平ギア８５、及び、第１平ギア８５と噛み合い且つ出力軸８１と一体回転する第２平ギア８６の夫々が、右側引起し伝動ケース８７内に備えられている。
【００７７】
右側引起し伝動ケース８７は、入力側のベベルギア８２及び出力側のベベルギア８４が収納されるベベルギアケース部８７Ａと、第１平ギア８５及び第２平ギア８６が収納される平ギアケース部８７Ｂとを別体で備えて構成され、且つ、中継伝動軸８３をベベルギアケース部８７Ａと平ギアケース部８７Ｂとにわたって内装する状態でベベルギアケース部８７Ａと平ギアケース部８７Ｂとを接続して構成されている。
又、ベベルギアケース部８７Ａ及び平ギアケース部８７Ｂの夫々が、一対の分割ケース単位体同士を接続する２つ割り構造のケース体にて構成されている。
【００７８】
説明を加えると、ベベルギアケース部８７Ａが、左右に２分割された一対の分割ケース単位体８７Ａ１，８７Ａ２同士をフランジ接続してボルトで締付けて一体的に連結して構成され、平ギアケース部８７Ｂが、左右に２分割された一対の分割ケース単位体８７Ｂ１，８７Ｂ２同士をフランジ接続してボルトで締付けて一体的に連結して構成されている。又、それらのベベルギアケース部８７Ａと平ギアケース部８７Ｂとをフランジ接続してボルトで締付けて一体的に連結して右側引起し伝動ケース８７が構成されている。
【００７９】
右側引起し伝動ケース８７の出力側の被連結部８８が、中央引起し装置伝動ケース６０と同様に、引起しケース４１に固定された断面コの字形のブラケット８９に嵌め込まれてボルト７２で締め付け固定されて、右側引起し伝動ケース８７と引起しケース４１とが連結されている。
【００８０】
又、中央縦フレーム１３と同様に、右側縦フレーム１２の上端部に縦向き伝動軸３２の両側に断面コの字形のブラケット９０が一体的に溶接固定する状態で設けられ、右側引起し伝動ケース８７の伝動入力側の端部に形成された入力側の被連結部９１が、連結用のブラケット９０に嵌め込まれてボルト６５で締め付け固定されて、右側引起し伝動ケース８７と右側縦フレーム１２とが連結されている。
【００８１】
このような構成のギア式伝動装置Ｇでは、例えば、出力軸８１が入力軸としての右側縦向き伝動軸３１に対して第２軸芯Ｘ２に沿う方向に接近するように位置が変化する使用形態で使用される場合であっても、ベベルギアケース部８７Ａと平ギアケース部８７Ｂのうちの少なくともいずれか一方のケースは形状変更する必要はあるが、他方のケースはそのまま使用することができる。また、出力軸８１が右側縦向き伝動軸３１に対して第２軸芯Ｘ２に沿う方向に離間するように位置が変化する使用形態で使用される場合には、例えば、中継伝動軸８３の長さを変化させるとともに、ベベルギアケース部８７Ａと平ギアケース部８７Ｂとの間に中継用のケース部を介装することにより、ベベルギアケース部８７Ａ及び平ギアケース部８７Ｂを共用することが可能であり、簡単な構造改良で対応できるものとなる。
【００８２】
〔別実施形態〕
（１）上記実施形態では、ベベルギアケース部８７Ａ及び平ギアケース部８７Ｂの夫々が一対の分割ケース単位体（８７Ａ１，８７Ａ２及び８７Ｂ１，８７Ｂ２）同士を接続する２つ割り構造のケース体にて構成されるものを例示したが、前記ベベルギアケース部８７Ａ及び前記平ギアケース部８７Ｂの夫々が分割されることなく一体的に形成されるケース体にて構成するものでもよい。
【００８３】
（２）上記実施形態では、右側引起し装置２３の下端部における引起爪３８の横回し移動幅が、他の引起し装置２４，２５の下端部における引起爪３８の横回し移動幅よりも広く設定される構成のものを例示したが、このような構成に代えて、図１７に示すように、左側引起し装置２５の下端部における引起爪３８の横回し移動幅が、他の引起し装置２３，２４の下端部における引起爪３８の横回し移動幅よりも広く設定される構成として、四条刈り作業形態にて刈取作業を行えるようにしてもよい。
【００８４】
又、図１８に示すように、右側引起し装置２３及び左側引起し装置２５の夫々について、下端部における引起爪３８の横回し移動幅が、中央引起し装置２４の下端部における引起爪３８の横回し移動幅よりも広く設定される構成としてもよい。この場合には、五条刈り作業形態にて刈取作業を行えるものとなる。
【００８５】
（３）上記実施形態では、右側引起し装置２３とそれに隣接する中央引起し装置２４とが、引起爪３８を対向させた状態で植立茎稈の引き起しを行うように構成されたものを例示したが、このような構成に代えて、右側引起し装置２３とそれに隣接する中央引起し装置２４とが、引起爪３８を互いに逆向きに突出させた状態で植立茎稈の引起しを行うように構成されるものでもよい。
【００８６】
【産業上の利用可能性】
【００８７】
本発明は、軸芯が互いに斜めに交差するように設けられた入力軸と出力軸とを連動連結するためのギア式伝動装置を用いたコンバインに適用することができる。
【符号の説明】
【００８８】
２      刈取部
８      筒状フレーム
１４    縦向き伝動ケース
２３    引起し装置
２８    前部向き伝動軸
３１    入力軸
３５    駆動輪体
３６    従動輪体
３７    回動チェーン
３８    引起爪
８１    出力軸
８２    入力側のベベルギア
８３    中継伝動軸
８４    出力側のベベルギア
８５    第１平ギア
８６    第２平ギア
８７    伝動ケース
８７Ａ  ベベルギアケース部
８７Ｂ  平ギアケース部
８７Ａ１，８７Ａ２，８７Ｂ１，８７Ｂ２  分割ケース単位体
Ｇ      ギア式伝動装置
Ｘ１    第１軸芯
Ｘ２    第２軸芯
【図１】
0005406771.tif 000002
【図２】
0005406771.tif 000003
【図３】
0005406771.tif 000004
【図４】
0005406771.tif 000005
【図５】
0005406771.tif 000006
【図６】
0005406771.tif 000007
【図７】
0005406771.tif 000008
【図８】
0005406771.tif 000009
【図９】
0005406771.tif 000010
【図１０】
0005406771.tif 000011
【図１１】
0005406771.tif 000012
【図１２】
0005406771.tif 000013
【図１３】
0005406771.tif 000014
【図１４】
0005406771.tif 000015
【図１５】
0005406771.tif 000016
【図１６】
0005406771.tif 000017
【図１７】
0005406771.tif 000018
【図１８】
0005406771.tif 000019